(57)【要約】【課題】本発明は、ブック型カバー内にメニューを表示したメニュー表示部を差し替え自在に収めるメニューブックに関し、カバー部内の差し替え自在なメニュー表示部を確実に押え固定させることを目的とする。【解決手段】カバー部１２における背表紙部１５に一対の差込部１６Ａ，１６Ｂを形成し、当該カバー部１２内の背表紙部１５の部分にメニューファイル１８が位置されたときに差込部１６Ａ，１６Ｂのそれぞれに挾持部であるメニューピン２０Ａ，２０Ｂの一方の挾持片２２を差し込んで当該カバー部１２に当該メニューファイル１８を差し替え自在に挾持固定させる構成とする。【選択図】  図１
2005199585.tif 000002
【特許請求の範囲】
【請求項１】
背表紙部を備え、当該背表紙部における長手方向の両端からそれぞれ所定位置に差込部が対で形成されるカバー部と、
所定のメニューが表示されて折込部を備えるメニュー表示部と、
対向する挾持片を備え、前記カバー部内で前記背表紙部の部分と前記メニュー表示部の前記折込部とが重ね合わされたときに、当該背表紙部に形成された前記差込部のそれぞれに上記一方の挾持片が差し込まれることで当該カバー部に当該メニュー表示部を差し替え自在に挾持固定する所定数の挾持部と、
を有することを特徴とするメニューブック。
【請求項２】
請求項１記載のメニューブックであって、前記差込部は、前記メニュー表示部における折込部の長手方向の長さに応じた間隔に対応させて複数対で形成されることを特徴とするメニューブック。
【請求項３】
請求項１または２記載のメニューブックであって、前記差込部は、貫通孔であることを特徴とするメニューブック。
【請求項４】
請求項１または２記載のメニューブックであって、前記差込部は、三辺を切り込んで舌部とされ、前記挾持部における一方の挾持片の差し込み時に、当該舌部がめくれ状態とされて貫通孔とされることを特徴とするメニューブック。
【請求項５】
請求項１または２記載のメニューブックであって、前記差込部は、四辺を断片的に切り込んで折欠き片とされ、前記挾持部における一方の挾持片の差し込み時に、上記折欠き片が取り除かれて貫通孔とされることを特徴とするメニューブック。
【請求項６】
請求項１または２記載のメニューブックであって、前記差込部は、前記背表紙部の両端のそれぞれを切り欠いて切欠部とされ、開放側より着脱自在の嵌合部が嵌め込まれて貫通孔とされることを特徴とするメニューブック。
【発明の詳細な説明】
【技術分野】
【０００１】
本発明は、ブック型カバー内にメニューを表示したメニュー表示部を差し替え自在に収めるメニューブックに関する。
【背景技術】
【０００２】
近年、飲食店等に備え付けられているいわゆるメニューは多種多様であり、体裁や高級感等からブック形式のメニューブックも多く普及している。メニューブックは、カバー内に折り込み自在のメニューファイルを所定数固定するもので、例えば季節毎に差し替えることができるようなものが殆どである。そのためにメニューファイルを一時固定する固定具の抜き差しを可能とする一方、メニューファイルがずれないように固定する必要がある。
【０００３】
従来、メニューブックは、ブック型カバー部内に、メニューを表示させた所定数の折り込み自在のファイルを、当該カバー部の背表紙部とファイルの折込部とを一致させて固定具により一時固定させるもので、固定具として伝統的に紐を使用するものから、上下両方より差し込んで挾持固定するネクタイピンのようなメニューピンを使用するものもある。このようなメニューピンを使用するメニューブックの一例が、下記の特許文献に記載されている。
【０００４】
【特許文献１】実開平５−４７５号公報
【０００５】
そこで、図７に、従来のメニューブックの説明図を示す。図７に示すメニューブック１０１は、上記特許文献に開示されたもので、カバー部１０２は、第１表紙部１０３と第２表紙部１０４とが背表紙部１０５を有して一体的に連結された形態である。一方、メニューを表示するものとしてメニューファイル１０６が用意され、当該ファイル１０６は折込部１０７を有した折り自在のものである。そして、カバー部１０２の背表紙部１０５とメニューファイル１０６の折込部１０７とを位置合わせして重ね合わせ、上下両方よりメニューピン１０８Ａ，１０８Ｂを差し込んで当該カバー部１０２とメニューファイル１０６とを挾持固定させてメニューブック１０１としたものである。
【発明の開示】
【発明が解決しようとする課題】
【０００６】
しかしながら、上記メニューブック１０１の形態では、上記メニューピン１０８Ａ，１０８Ｂがカバー部１０２の縁端より差し込まれているだけで固定されていないことから、ずれを生じやすいと共に、衝撃等により抜けやすいという問題があり、これに応じて挾持固定されるメニューファイル１０６においても上下左右にずれを生じやすいという問題がある。
【０００７】
そこで、本発明は上記課題に鑑みなされたもので、カバー部内の差し替え自在なメニュー表示部を確実に押え固定させるメニューブックを提供することを目的とする。
【課題を解決するための手段】
【０００８】
上記課題を解決するために、請求項１の発明では、背表紙部を備え、当該背表紙部における長手方向の両端からそれぞれ所定位置に差込部が対で形成されるカバー部と、所定のメニューが表示されて折込部を備えるメニュー表示部と、対向する挾持片を備え、前記カバー部内で前記背表紙部の部分と前記メニュー表示部の前記折込部とが重ね合わされたときに、当該背表紙部に形成された前記差込部のそれぞれに上記一方の挾持片が差し込まれることで当該カバー部に当該メニュー表示部を差し替え自在に挾持固定する所定数の挾持部と、を有する構成とする。
【０００９】
請求項２の発明では、前記差込部は、前記メニュー表示部における折込部の長手方向の長さに応じた間隔に対応させて複数対で形成される構成とする。
【００１０】
請求項３〜６の発明では、「前記差込部は、貫通孔である」構成であり、
「前記差込部は、三辺を切り込んで舌部とされ、前記挾持部における一方の挾持片の差し込み時に、当該舌部がめくれ状態とされて貫通孔とされる」構成であり、
「前記差込部は、四辺を断片的に切り込んで折欠き片とされ、前記挾持部における一方の挾持片の差し込み時に、上記折欠き片が取り除かれて貫通孔とされる」構成であり、
「前記差込部は、前記背表紙部の両端のそれぞれを切り欠いて切欠部とされ、開放側より着脱自在の嵌合部が嵌め込まれて貫通孔とされる」構成である。
【発明の効果】
【００１１】
請求項１の発明によれば、カバー部における背表紙部に対の差込部を形成し、メニュー表示部が位置されたときに差込部のそれぞれに挾持部の一方の挾持片を差し込んで当該カバー部に当該メニュー表示部を差し替え自在に挾持固定させることにより、差込部で挾持部が固定状態となることから、衝撃等でずれることがなく、カバー部内の差し替え自在なメニュー表示部を確実に押え固定させることができるものである。
【００１２】
請求項２の発明によれば、メニュー表示部の大きさ、すなわち折込部の長手方向の長さに応じた間隔に対応させて差込部を複数対で形成させることにより、すなわちメニュー表示部サイズに合わせて差込部を一対ずつ複数対で形成させることにより、一のサイズのメニューブックで複数サイズのメニュー表示部を挾持固定させることができるもので、使用形態を広げることができるものである。
【００１３】
請求項３〜６の発明によれば、差込部を、貫通孔とさせ、または三辺を切り込んだ舌部をめくれ状態とさせて貫通孔とさせ、または四辺を断片的に切り込んだ折欠き片を取り除いて貫通孔とさせ、または切欠部に嵌合部を嵌め込んで貫通孔とさせることにより、上記同様の効果を奏することができると共に、カバー部の少なくとも背表紙部が可撓性、非可撓性の何れの形態であっても対処させることができるものである。
【発明を実施するための最良の形態】
【００１４】
以下、本発明の最良の実施形態を図により説明する。
図１に本発明に係るメニューブックの第1実施形態の構成図を示すと共に、図２に図1のカバー部およびメニューピンの説明図を示す。図１（Ａ）はメニューブックを展開した状態の構成斜視図、図１（Ｂ）はメニューブックの閉じた状態における背表紙部の部分構成斜視図であり、図２（Ａ）はカバー部における背表紙部の差込部の部分斜視図、図２（Ｂ）はメニューピンの斜視図である。
【００１５】
図１（Ａ）、（Ｂ）および図２（Ａ）、（Ｂ）において、メニューブック１１は、カバー部１２が第１表紙部１３と第２表紙部１４とが背表紙部１５を有して、例えば一体的に連結されたものであり、当該背表紙部１５とされる二つの折りラインでブック型となる。当該カバー部１２は、ここでは例えばビニール製等の可撓性部材で形成されるが、例えば第１および第２表紙部１３，１４に芯材を入れて非可撓性としてもよく、少なくとも背表紙部１５が可撓性であれば足りる。
【００１６】
上記背表紙部１５には、図２（Ａ）に示すように、長手方向の両端からそれぞれ所定位置に差込部１６Ａ，１６Ｂが一対で形成されるもので、当該差込部１６Ａ，１６Ｂは貫通孔として形成される。なお、上記背表紙部１５の長手方向の両端から上記差込部１６Ａ，１６Ｂが形成されるまでの部分は規制部１７Ａ，１７Ｂとなる。
【００１７】
一方、メニューを表示するものとしてのメニュー表示部であるメニューファイル１８は、例えばメニューが書き込まれた用紙等を挿入自在とした袋状のファイルが折込部１９で２連状態にされたもので、当該折込部１９は少なくとも後述のメニューピンの幅と同一の幅で折り自在のものである。この場合、メニューファイル１８における折込部１９の長手方向の長さは、カバー部１２における背表紙部１５に形成された差込部１６Ａ，１６Ｂ間の距離と略一致させることが望ましい。ここでは、一のメニューファイル１８を示すが、同一大の複数のメニューファイル１８を用意してカバー部１２内に収めることができるものである。
【００１８】
なお、メニュー表示部として、上記のようにファイル形式のものでなく、単にメニューが書き込まれた所定大の用紙であってもよく、後述のメニューピンの幅に対応した折込部が形成されていればよいものである。
【００１９】
また、上記カバー部１２における背表紙部１５に形成された差込部１６Ａ，１６Ｂには、後述する挾持部であるメニューピン２０Ａ，２０Ｂの一方の挾持片が差し込まれる。当該メニューピン２０Ａ，２０Ｂは、図２（Ｂ）に示すように、第１挾持片２１と第２挾持片２２とが連結部２３により一体的に形成されたもので、例えば金属材により形成される。上記第２挾持片２２は、滑り防止のためにジグザグ形状に形成されている。このようなメニューピン２０Ａ，２０Ｂは、第１挾持片２１と第２挾持片２２とが開いた状態となったときに、連結部２３により互いに引き付け合うように締め付け付勢力を生じるものである。
【００２０】
すなわち、上記カバー部１２における背表紙部１５に形成された差込部１６Ａ，１６Ｂには、メニューピン２０Ａ，２０Ｂの第２挾持片２２が差し込まれるもので、差し込まれなかった第１挾持片２１と当該差し込まれた当該第２挾持片２２の締め付け付勢力により、背表紙部１５とメニューファイル１８（折込部１９）とが挾持固定されるものである。この場合、差し込まれなかった歳１挾持片２１は、図１（Ｂ）に示すように、背表紙部１５のおもて面上に表れることとなる。
【００２１】
そこで、図３に、本発明におけるメニューブック作製の説明図を示す。図３（Ａ）に示すように、カバー部１２が開かれた状態で背表紙部１５の部分であって、形成された差込部１６Ａ，１６Ｂ間にメニューファイル１８の折込部１９を位置させて重ね合わせる。そして、図３（Ｂ）に示すように、背表紙部１５のおもて側より規制部１７Ａ，１７Ｂを撓ませて差込部１６Ａ，１６Ｂにメニューピン２０Ａ，２０Ｂの第２挾持片２２を差し込むもので、背表紙部１５とメニューファイル１８（折込部１９）を挾持させながら連結部２３まで差し込むものである。
【００２２】
これによって、メニューピン２０Ａ，２０Ｂは背表紙部１５の差込部１６Ａ，１６Ｂに規制される状態となり、カバー部１２にメニューファイル１８が挾持固定されるものである。なお、メニューファイル１８を差し替える場合、逆に背表紙部１５の規制部１７Ａ，１７Ｂを撓ませてメニューピン２０Ａ，２０Ｂの第２挾持片２２を差込部１６Ａ，１６Ｂより引き抜くことにより、当該メニューファイル１８は開放された状態となって差し替えられるものである。
【００２３】
このように、差込部１６Ａ，１６Ｂによってメニューピン２０Ａ，２０Ｂのが固定状態となり、従前のように背表紙部１５よりメニューピン２０Ａ，２０Ｂの連結部２３が突出されないことから、衝撃等でずれることがなく、これによってメニューファイル１８もずれることが軽減されるものである。すなわち、カバー部１２にメニューファイル１８を挾持状態で押えられて確実に固定させることができるものである。また、メニューピン２０Ａ，２０Ｂを引き抜く場合には背表紙部１５の規制部１７Ａ，１７Ｂを撓ませなければならないことから容易に引き抜くことができず、メニューピン２０Ａ，２０Ｂの安易な持ち去りも防止することができるものである。
【００２４】
ところで、この種のメニューブックは、メニューファイルを差し替える必要性から、上記特許文献に記載されているようにメニューピンを引き抜き易くする方向で作製されるのが従前からの一般的傾向であるが、本願発明は、逆にメニューピンを引き抜き難くさせることによって当該メニューピンをずれ難いように固定させるというものであり、波及的効果として上述のようにメニューピン２０Ａ，２０Ｂの安易な持ち去りも防止することができるというものである。
【００２５】
なお、従前よりカバー部にメニューファイルを固定させる手段として紐を用いたものもあるが、当該紐を本願発明において飾り紐として使用してもよく、適宜規制部１７Ａ，１７Ｂに紐を規制するガイド溝を形成させてもよい。メニューブックの表紙には何も表示されない場合もあり、意匠性の向上の他に、上記飾り紐の結び目によって天地を表させることができるものである。
【００２６】
次に、図４に、本発明に係るメニューブックの第２実施形態の構成説明図を示す。図４（Ａ）は差込部の部分拡大図、図４（Ｂ）はメニューピン差し込みの図、図４（Ｃ）はメニューブックを展開させた図である。図４（Ａ）において、カバー部１２の背表紙部１５に、メニューファイル１８における折込部１９の長手方向の長さに応じた間隔に対応させて複数対の差込部３４Ａ，３４Ｂ，３５Ａ，３５Ｂ（３５Ｂは図に表れず）が形成されるものである。上記差込部３４Ａ，３４Ｂ，３５Ａ，３５Ｂは、三辺を切り込んで舌部３２Ａ，３２Ｂ，３３Ａ，３３Ｂとされる。すなわち、図４（Ｂ）に示すように、メニューファイル１８Ａの折込部１９Ａが背表紙部１５に重ね合わされたときに、差込部３４Ａ，３４Ｂ，３５Ａ，３５Ｂに上記メニューピン２０Ａ，２０Ｂの第２挾持片２２を差し込むことによって、上記舌部３２Ａ，３２Ｂ，３３Ａ，３３Ｂがめくれ状態とされて貫通孔とされるものである。
【００２７】
上記差込部３４Ａ，３４Ｂ，３５Ａ，３５Ｂは、例えばＡ３サイズ折り込み（畳み込みＡ４サイズ）とＢ４サイズ折り込み（畳み込みＢ５サイズ）の両方のメニューファイル１８，１８Ａの大きさに対応させたもので、嗜好によって大きいカバー部１２に小さなメニューファイル１８Ａを内包させる場合を考慮したものである。本実施形態では、図４（Ｃ）に示すように、カバー部１２に対して小さなメニューファイル１８Ａを内包させたメニューブック３１を示している。この場合、使用しない差込部３５Ａ，３５Ｂは、舌部３２Ａ，３２Ｂによって蓋がされた状態であり、意匠性を損なわないようにしたものである。
【００２８】
このように、差込部３４Ａ，３４Ｂ，３５Ａ，３５Ｂを形成するに当たって舌部３２Ａ，３２Ｂ，３３Ａ，３３Ｂを形成させることによっても上記第１実施形態と同様の効果を奏することができると共に、使用しない差込部３５Ａ，３５Ｂを目立たないようにさせることができるものである。なお、上記舌部を設ける場合として、複数対とせずに上述の第１実施形態のように、一対で形成してもよく、また上述のように飾り紐を設けてもよいことはもちろんである。
【００２９】
次に、図５に、本発明に係るメニューブックの第３実施形態の構成説明図を示す。図５（Ａ）は差込部の部分拡大図、図５（Ｂ）はメニューブックを展開させた図である。図５（Ａ）、（Ｂ）において、カバー部１２の背表紙部１５に、メニューファイル１８（１８Ａ）における折込部１９の長手方向の長さに応じた間隔に対応させて複数対（または一対）の差込部３８Ａ，３８Ｂ，３９Ａ，３９Ｂが形成されるものである。上記差込部３８Ａ，３８Ｂ，３９Ａ，３９Ｂは、四辺を断片的に切り込んで折欠き片３６Ａ，３６Ｂ，３７Ａ，３７Ｂとされる。
【００３０】
すなわち、メニューファイル１８の折込部１９が背表紙部１５に重ね合わされたときに、対応の折欠き片３６Ａ，３６Ｂが取り除かれて貫通孔となり、当該貫通孔の差込部３８Ａ，３８Ｂに規制部１７Ａ，１７Ｂを撓ませて上記メニューピン２０Ａ，２０Ｂの第２挾持片２２を差し込むことによって、カバー部１２にメニューファイル１８を挾持固定させるものである。
【００３１】
このように、差込部３８Ａ，３８Ｂ，３９Ａ，３９Ｂを形成するに当たって折欠き片３６Ａ，３６Ｂ，３７Ａ，３７Ｂを形成させることによっても上記第１実施形態と同様の効果を奏することができると共に、使用しない差込部３９Ａ，３９Ｂを折欠き片３７Ａ，３７Ｂによって目立たないようにさせることができるものである。なお、上記折欠き片を形成させる場合として、複数対とせずに上述の第１実施形態のように、一対で形成してもよく、また上述のように飾り紐を設けてもよいことももちろんである。
【００３２】
次に、図６に、本発明に係るメニューブックの第４実施形態の構成説明図を示す。図６（Ａ）は差込部の部分拡大図、図６（Ｂ）は差込部形成の説明図、図６（Ｃ）はメニューピン差し込みの図である。図６（Ａ）、（Ｂ）において、差込部４２Ａ，４２Ｂは、カバー部１２における背表紙部１５の両端のそれぞれを切り欠いて切欠部４３Ａ，４３Ｂとし、開放側より着脱自在の嵌合部４１Ａ，４１Ｂが嵌め込まれて貫通孔とされるものである。
【００３３】
すなわち、図６（Ｂ）に示すように、切欠部４３Ａ，４３Ｂの対向する辺の所定位置には係合片４４Ａ（４４Ｂ），４５Ａ（４５Ｂ）が形成される。一方、嵌合部４１Ａ，４１Ｂは、例えばプラスチックや金属等でクリップ形式に形成されるもので、それぞれに上記係合片４４Ａ，４４Ｂ，４５Ａ，４５Ｂと係止する係止片４６Ａ，４６Ｂ，４７Ａ，４７Ｂ（４６Ｂおよび嵌合部４１Ｂに対応する係止片４７Ａ，４７Ｂは図に表れず）が形成される。
【００３４】
そして、切欠部４３Ａ，４３Ｂのそれぞれの開放側より嵌合部４１Ａ，４１Ｂを嵌め込むことによって、上記係合片４４Ａ，４４Ｂ，４５Ａ，４５Ｂと係止片４６Ａ，４６Ｂ，４７Ａ，４７Ｂとが係止状態となり、当該切欠部４３Ａ，４３Ｂの部分に貫通孔としての差込部４２Ａ，４２Ｂとなるものである。すなわち、嵌合部４１Ａ，４１Ｂが嵌め込まれれる以前の切欠部４３Ａ，４３Ｂの状態で、メニューファイル１８Ａの折込部１９Ａが背表紙部１５に重ね合わされ、上記メニューピン２０Ａ，２０Ｂの第２挾持片２２を差し込んでカバー部１２にメニューファイル１８を挾持固定させた後に、嵌合部４１Ａ，４１Ｂを嵌め込むものであり、結果的に差込部４２Ａ，４２Ｂに当該メニューピン２０Ａ，２０Ｂを差し込んだ状態とさせるものである。
【００３５】
このように、差込部４２Ａ，４２Ｂを形成するに当たって、切欠部４３Ａ，４３Ｂを形成して開放側より嵌合部４１Ａ，４１Ｂを嵌め込むことによっても上記第１実施形態と同様の効果を奏することができるもので、特に、カバー部１２の背表紙部１５が非可撓性の部材で形成されたときにメニューピン２０Ａ，２０Ｂの差し込みを容易とさせることができるものである。また、メニューファイル１８の差し替えのために嵌合部４１Ａ，４１Ｂを抜き外す際、ドライバ等の工具を使用させることとすると、当該嵌合部４１Ａ，４１Ｂを容易に取り外すことができず、メニューピン２０Ａ，２０Ｂの安易な持ち去りも防止することができるものである。なお、上述のように飾り紐を設けてもよいことももちろんである。
【産業上の利用可能性】
【００３６】
本発明のメニューブックは、飲食店の店内用、弁当や総菜等のテイクアウト店用、出前やケータリングのための顧客側配備用等で利用されることに適するものである。
【図面の簡単な説明】
【００３７】
【図１】本発明に係るメニューブックの第1実施形態の構成図である。
【図２】図1のカバー部およびメニューピンの説明図である。
【図３】本発明におけるメニューブック作製の説明図である。
【図４】本発明に係るメニューブックの第２実施形態の構成説明図である。
【図５】本発明に係るメニューブックの第３実施形態の構成説明図である。
【図６】本発明に係るメニューブックの第４実施形態の構成説明図である。
【図７】従来のメニューブックの説明図である。
【符号の説明】
【００３８】
１１，３１                          メニューブック
１２                                カバー部
１３                                第１表紙部
１４                                第２表紙部
１５                                背表紙部
１６，３４，３５，３８，３９，４２  差込部
１７                                規制部
１８                                メニューファイル
１９                                折込部
２０                                メニューピン
３２，３３                          舌部
３６，３７                          折欠き片
４１                                嵌合部
４３                                切欠部
【図１】
2005199585.tif 000003
【図２】
2005199585.tif 000004
【図３】
2005199585.tif 000005
【図４】
2005199585.tif 000006
【図５】
2005199585.tif 000007
【図６】
2005199585.tif 000008
【図７】
2005199585.tif 000009